(57)【要約】  この発明は、乳幼児の動きを可及的に少なくして、しかも検査に適した姿勢を安定して確保し易く、正確な検査の便に供すことができ、併せて使い勝手が良く、持ち運びが容易で嵩低く収納保管できる乳幼児検査受枠及びその支持マット並びに乳幼児受け具を提供することである。  この発明は、中央を上方に湾曲させて本体部４とその左右に一体に連なって立ち上がるウイング部５を備えた可撓性の乳幼児検査受枠２と、内部に発泡ビーズの詰物が挿入、充填されて形成されていて前記ウイング部５の間に挿入される支持マット３から成る。
2016117074.tif 000002
【特許請求の範囲】
【請求項１】
中央を上方に彎曲させた本体部とその左右に一体に連なって立ち上がるウイング部を備え、可撓性のある合成樹脂素材で一体成型されてなる乳幼児検査受枠。
【請求項２】
請求項１記載の乳幼児検査受枠が細幅で、一対が所定間隔を隔てて並置され、隣り合うウイング部が連結具で係脱自在に連結されている乳幼児検査受枠。
【請求項３】
請求項１〜２のいずれか１項に記載の乳幼児検査受枠の左右のウイング部間に支持マットが挿入、載置されてなり、その支持マットは少なくとも中央の背部受け部とその左右に一体又は一体的に連なる左右受け部とが布地によって袋状体に形成され、各袋状体の内部には詰物が挿入、充填されて当該袋状体を膨らませ、左右受け部は上方へ立ち上がってなる乳幼児受け具。
【発明の詳細な説明】
【技術分野】
【０００１】
この発明は、乳幼児が例えばレントゲン検診や超音波による検診を受ける際などにベッドや検査台、椅子などに載置して用いる乳幼児検査受枠及び乳幼児受け具に関する。
【背景技術】
【０００２】
乳幼児がレントゲン検診や超音波検査などを受ける際は、一般にベッドに乳幼児を寝かせて検診に当たっている（特開２０００−７０２４７号公報、特開平１０−２４８８４６号公報参照）。
【発明の開示】
【発明が解決しようとする課題】
【０００３】
しかし、大人と違って、乳幼児はベッドの上で静止することはなく、常に手足を動かしているために、看護師等が乳幼児を押さえて動きを止め、その瞬間に検査をするといった対応がとられているが、心理的な影響もあってか、なかなか動きを止めることがなく、また、介助する看護師などが検査の支障になったりするおそれがあり、正確な検査が得られないケースがよく見受けられていた。【０００４】
この発明は、斯かる従来からの検診の問題点に鑑み発案されたもので、その第一の目的は、乳幼児の動きを可及的に少なくして、しかも検査に適した姿勢を安定して確保し易く、正確な検査の便に供すことができ、併せて使い勝手が良く、持ち運びが容易で嵩低く収納保管できる乳幼児検査受枠及び乳幼児受け具を提供することである。また第二の目的は、第１の目的を達成すると共に、更に乳幼児の背丈や体格に応じて適正な支持が可能で、検査の実効に資すると共に、持ち運びや収納、保管を一層改善できる乳幼児検査受枠及び乳幼児受け具を提供することである。
【課題を解決するための手段】
【０００５】
上記の目的を達成するため、本発明による乳幼児検査受枠は、中央を上方に彎曲させた本体部とその左右に一体に連なって立ち上がるウイング部を備え、可撓性のある合成樹脂素材で一体成型されてなる（請求項１）。【０００６】
乳幼児検査受枠において、請求項１記載の乳幼児検査受枠が細幅で、一対が所定間隔を隔て並置され、隣り合う前記ウイング部が連結具で係脱自在に連結されていてもよい（請求項２）。【０００７】
また、上記目的を達成するために、本発明による乳幼児受け具は、請求項１〜２のいずれか１項に記載の乳幼児検査受枠の左右のウイング部間に支持マットが挿入、載置されてなり、その支持マットは少なくとも中央の背部受け部とその左右に一体又は一体的に連なる左右受け部とが布地によって袋状体に形成され、各袋状体の内部には詰物が挿入、充填されて当該袋状体を膨らませ、左右受け部は上方へ立ち上がってなる（請求項３）。
【発明の効果】
【０００８】
請求項１〜３に係る発明では、乳幼児の動きを可及的に少なくして、しかも検査に適した姿勢を安定して確保し易く、正確な検査の便に供すことができ、更には他分野への適用も可能な乳幼児検査受枠及び乳幼児受け具が得られる。【０００９】
即ち、請求項１〜３に係る発明の乳幼児検査受枠及び乳幼児受け具では、乳幼児検査受枠の左右のウイング部の間に支持マットを載置し、この支持マットの上に乳幼児を側臥位あるいは仰臥位等にして寝かせ付けることによって、乳幼児は支持マットのソフトな抱擁作用によって両手、胸部左右から脇腹、そして大腿部にわたってしっかりと包み込まれる。このとき、乳幼児検査受枠の本体部の彎曲部が乳幼児の体重負荷によって下方へ撓み、その撓み力が左右のウイング部の上端側ほど互いが近付づく方向へ移行させるように働き、このウイング部の近づきによって、支持マットは左右からしっかりと把持され、もって乳幼児をしっかりと、しかも安定良く寝姿に維持できる。しかも、乳幼児検査受枠は可撓性の素材から成る断面が欧文字のほぼＵの字形となるから、その複数個を順次上から入れ込み嵌合して積み重ねることができ、使い勝手が良く、持ち運びが容易で嵩低く収納保管できる利点がある。【００１０】
また、請求項２に係る発明では、連結具を布製や可撓性の素材、或いは剛性があっても寸法を異ならせることが可能な構造（例えば蛇腹構造や長短異なる寸法のもの）を備えて作製することで一対の受枠の間隔を、乳幼児の身長方向に沿って自在に調整し易く、乳幼児の背丈や体格に応じて適正な支持が可能で、検査の実効を上げることができる。併せて、連結具による連結を解けば、同じ形状の一対の受枠と連結具に分離されるので、嵩が低くなり、持ち運びは言うまでもなく、収納、保管の一層の便に供することができる。しかも、受枠は細幅であるので、彎曲部の撓み性が高くなり、左右のウイング部による支持マットの把持が一層的確、且つ強力になり、検査の実効性をより向上できる。【００１１】
更に、請求項３に係る発明では、請求項１〜２のいずれか１項に記載の乳幼児検査受枠の左右のウイング部間に支持マットが挿入、載置されてなり、その支持マットは少なくとも中央の背部受け部とその左右に一体又は一体的に連なる左右受け部とが布地によって袋状体に形成され、各袋状体の内部には詰物が挿入、充填されて当該袋状体を膨らませ、左右受け部は上方へ立ち上がってなるから、背部受け部、左右受け部が別体のものよりも取り扱いが容易で、しかも左右の受け部が上方へ立ち上がっているので、乳幼児を寝かせ付け易く、検査の実効性に資する。【００１２】
尚、本発明における乳幼児受け具には、レントゲン検診や超音波検診の際の検査用補助具の他にも、内科や歯科更には外科の分野での乳幼児の安定的な検査姿勢を得るための受け具の他、例えば家庭や保育園、幼稚園などの昼寝用などの簡易ベッドも含まれる。
【図面の簡単な説明】
【００１３】
【図１】この発明の一実施の形態に係る乳幼児受け具の外観図である。
【図２】図１に示した乳幼児受け具に用いる乳幼児検査受枠の外観図である。
【図３】図１に示した乳幼児受け具に用いる支持マットの外観図である。
【図４】図１に示した乳幼児受け具の使用状態を示す外観図である。
【図５】この発明の乳幼児受け具の変形例に用いる乳幼児検査受枠の外観図である。
【図６】乳幼児検査受枠構成枠を連結具で一体的に連結した状態を示し、一部を拡大表示した拡大図を含む一部切欠き外観図である。
【図７】図５に示した乳幼児検査受枠の作用を示す外観図である。
【符号の説明】
【００１４】
１…乳幼児受け具
２、２０…乳幼児検査受枠
３…支持マット
４、４０…本体部
５、５０…ウイング部
６、６０…彎曲部
７…背部受け部
８…左右受け部
９…頭載置部
１１…連結具
２１…乳幼児検査受枠構成枠
【発明を実施するための形態】
【００１５】
以下、本発明の乳幼児受け具を先天性股関節脱臼の超音波検査用として適用した場合の形態について、添付図面を参照して説明する。
【００１６】
この乳幼児受け具１は、二つの部品から構成される。
一つは乳幼児検査受枠２、その二はこの乳幼児検査受枠２に挿入、載置される支持マット３である。
【００１７】
乳幼児検査受枠２は、図２に示すように、本体部４とこの本体部４の左右に一体に連なるウイング部５を備えて成る。
本体部４は、左右両端から中央に向かうに従って順次上方へ盛り上がり、中央部分が最高位となるように彎曲部６を備えている。そして、ウイング部５はこの本体部４の左右の両端から夫々上方に所定寸法一体に立ち上げられてなる。
斯かる構成を備えた乳幼児検査受枠２は、アクリル変性高衝撃塩化ビニル素材を成形倍率６倍ほどで、真空成形或いは加圧成形などの手段で所定の形状に加工されている。このアクリル変性高衝撃塩化ビニルは耐衝撃性に優れる上に、耐薬品性、耐候性、耐寒性、難燃性を備え、併せて高い成形性を備えたものである。中央部分の彎曲部６は上方からの重力の負荷によって下方へ撓むが、この撓み力が左右のウイング部５を上端側ほど互いが近付づく方向へ移行させるように働く。
尚、耐熱性はやや高いが、同様の性能を備えたＡＢＳ樹脂に代替させることもできる。より安価に提供できるからである。
【００１８】
図２に示される例では、この乳幼児検査受枠２は、本体部４の左右床面との接触点間の幅Ｗは約３５０ｍｍ、奥行き幅Ｄは約５００ｍｍ、また、ウイング部５の上下寸法Ｈは床面から約２００ｍｍ、ウイング部５の上縁間の幅Ｗ１は約５００ｍｍに形成されている。寸法は、乳幼児の標準体格を基に設定されている。
【００１９】
次に、支持マット３は、図３に示すように、中央の背部受け部７とその左右に一体に連な左右受け部８とが布地によって袋状に形成され、背部受け部７と左右受け部８の内部には発泡ビーズ（図外）の詰物が挿入、充填され、当該袋状体を膨らませて、左右受け部８は、左右方向に所定の間隔Ｗ２を開けて（図３参照）上方へ立ち上がっている。また、背部受け部７の左右方向に直交する側の一方の辺縁からは頭載置部９が一体に設けられている。
【００２０】
また、前記背部受け部７と左右受け部８そして頭載置部９の表面側で乳幼児に接する面を形成する布地は伸縮性に富み且つ滑らかで耐久性のある素材としてポリウレタン弾性繊維（スパンデックス）が採用されている。表面側以外の側面や底面には綿糸を用いた平編みで編成した、前記表面側よりも少し硬くしかも伸縮性が小さい生地が用いられている。  尚、表面側の生地としては伸縮性のあるパイル編み生地が用いられても良い。
【００２１】
このように構成された乳幼児検査受枠２と支持マット３によって、図１に示す通りの乳乳幼児受け具１を得る。
つまり、ベッド（図外）の上に乳幼児検査受枠２を載置し、その左右のウイング部５の間に支持マット３を、その左右受け部８の外側面がウイング部５の内側面に接するようにして載置して乳幼児受け具１を得る。
【００２２】
この乳幼児受け具１の支持マット３の背部受け部７と左右受け部８を押さえ付けると、押さえられた背部受け部７と左右受け部８内の発泡ビーズがそれらの袋状体内で流動して、背部受け部７と左右受け部８が凹状となる。そこで、乳幼児を仰向けにして載せると、乳幼児の体重を受けて発泡ビーズが適度に流動し、背部受け部７と左右受け部８の発泡ビーズの働きによるソフトな抱擁作用によって両手、胸部左右から脇腹、そして大腿部にわたってしっかりと包み込まれ、乳幼児は超音波検診を受けやすい姿勢になる。
【００２３】
このとき、乳幼児検査受枠２の本体部４の彎曲部６が乳幼児の体重負荷によって下方へ撓み、その撓み力が左右のウイング部５をその上端側ほど互いが近付づく方向へ移行させるように働き、このウイング部５の近づきによって、支持マット３は左右からしっかりと把持され、もって乳幼児はしっかりと、しかも安定の良い寝姿に維持されることになる（図４参照）。
【００２４】
次に、図５〜７に示す形態は、乳幼児検査受枠の変形例を示したもので、殊に乳幼児の背丈や体格に応じて適正な支持が可能で、検査の実効に資すると共に、持ち運びや収納、保管を一層改善できる乳幼児検査受枠及び乳幼児受け具を提供する目的に資するものである。
【００２５】
この変形例にいう乳幼児検査受枠２０は、図５に示すように、一対の乳幼児検査受枠構成枠２１、２１で構成されている。
この乳幼児検査受枠構成枠２１は本体部４０とこの本体部４０の左右に一体に連なるウイング部５０を備えて成る。本体部４０は、左右両端から中央に向かうに従って順次上方へ盛り上がり、中央部分が最高位となるように彎曲部６０を備えている。そして、ウイング部５０はこの本体部４０の左右の両端からは夫々上方に所定寸法一体に立ち上げられてなる。この乳幼児検査受枠構成枠２１は、先の実施の態様と同様にアクリル変性高衝撃塩化ビニル素材を成形倍率６倍ほどで、真空成形或いは加圧成形などの手段で所定の形状に加工されている。
【００２６】
本体部４０の左右床面との接触点間の幅は約３５０ｍｍ、また、ウイング部５０の上下寸法は床面から約２００ｍｍ、ウイング部５０の上縁間の幅は約５００ｍｍで、図２に示す例と同様であるが、異なる点は奥行き幅Ｄ１が約１５０ｍｍに形成されている点である。
【００２７】
そして、この一対の乳幼児検査受枠構成枠２１、２１は、図５に示すように、最大幅２００ｍｍの間隔Ｓを開けて並置され、図６に示すように、相隣なるウイング部５０、５０を嵌入する嵌合袋部１０、１０を備えた可撓性の連結具１１で一体的に連結され、実質的に図２と同様の最大奥行き幅５００ｍｍを備えるように構成されている。
【００２８】
連結具１１は、上下幅がウイング部５０の上下寸法とほぼ同じ２００ｍｍで、奥行き幅はほぼ５００ｍｍを備え、適宜な素材から成る（図例では布を縫製して得た）ものである。前記嵌合袋部１０、１０は、この連結具１１の奥行き幅方向の両端に夫々下方のみが開放され、且つ、前記ウイング部５０、５０の奥行き幅１５０ｍｍを嵌入するに足る幅をもって形成されている。図６の拡大断面図中１２は縫着糸を示す。
【００２９】
以上の実施の態様によれば、連結具１１が布製であるために、一対の乳幼児検査受枠構成枠２１、２１を、図７に示すように、その奥行き幅方向で互いに近寄らせたり離したりすることができる（図７に示す例では互いに近付けた場合を示す）。その結果、乳幼児の体格に合わせて、この乳幼児検査受枠２０の大きさ（乳幼児の背丈の方向の長さ）を大小自在に変更できる。また、乳幼児検査受枠２０を除いては、支持マット３の構成は先の実施の形態、即ち図１、３に示されたものと同様である。
【００３０】
超音波検査をするにあたっては、先ずベッドの上で二つの乳幼児検査受枠構成枠２１、２１を平行に並べ、連結具１１の嵌合袋部１０をウイング部５０の上端から差し込み、二つの乳幼児検査受枠構成枠２１、２１を一体的に連結する。次いで、連結されて得られた乳幼児検査受枠２０の左右のウイング部５０と連結具１１の間に、図１と同様に、支持マット３を、その左右受け部８の外側面が連結具１１の内側面に接するようにして載置して乳幼児受け具１を得る。この乳幼児受け具１の支持マット３の背部受け部７と左右受け部８を押さえ付けると、押さえられた背部受け部７と左右受け部８内の発泡ビーズがそれらの袋状体内で流動して、背部受け部７と左右受け部８が凹状となる。そこで、乳幼児を載せると、乳幼児の体重を受けて発泡ビーズが適度に流動し、背部受け部７と左右受け部８の発泡ビーズの働きによるソフトな抱擁作用によって両手、胸部左右から脇腹、そして大腿部にわたってしっかりと包み込まれ、乳幼児は検診を受けやすい姿勢になる。
【００３１】
このとき、乳幼児検査受枠構成枠２１、２１の本体部４０、４０の彎曲部６０、６０が夫々乳幼児の体重負荷によって下方へ撓み、その撓み力が左右のウイング部５０、５０をその上端側ほど互いが近づく方向へ移行させるように働き、このウイング部５０、５０の近づきによって、支持マット３は左右からしっかりと把持され、もって乳幼児はしっかりと、しかも安定の良い寝姿に維持されることになる。
【００３２】
また、この例によれば、乳幼児検査受枠構成枠２１は細幅な一対で構成されるものであるから、本体部４０の彎曲部６０がより撓み易く、一層しっかりと支持マット３を両サイドから把持し、乳幼児はしっかりと、しかも安定の良い寝姿に維持されることになる。更に、不使用時の際は、これを上下に重ねて積み上げると一層嵩低く、また、コンパクトにして持ち運びや運搬が容易となり、また、保管はペースも少なくて済み、大変取り扱い易く提供できる。
【００３３】
尚、上記変形例で採用される連結具１１は布製のもの以外に、図示しないが、可撓性の合成樹脂を素材にして、例えば二色成形法（異材質射出成形法）によって乳幼児検査受枠構成枠２１、２１と一体成型して得たもの、更には並置したウイング部５０、５０の外側面と連結具１１の片側の面に布製ファスナーを取り付けて、両者を結合分離可能に構成したもの或いは剛性があってもウイング部間を蛇腹構造にしたもの、更には長短異なる寸法のもの等も採用できる。
【００３４】
更に、支持マット３は、発泡ビーズを充填して得たが合成樹脂製のチップに替えることもできる。更に、低反発ウレタンフォームで背部受け部７、左右受け部８、頭載置部９を形成し、これを布製のカバーで覆って得ることもできる。また、背部受部７、左右受け部８、頭載置部９は夫々独立別個に形成され、背部受け部７の左右両側若しくは左右両側上面に左右受け部８が、また背部受け部７の左右方向に直交する側の一方の辺縁若しくは辺縁上面に頭載置部９が夫々簡易着脱手段（布製ファスナー等）で接合分離自在に連結された構造も採用できる。
【産業上の利用可能性】
【００３５】
本発明は乳幼児の先天性股関節脱臼の超音波検査の際に用いられるものとして説明したが、必ずしもこの態様に限定されず、例えばエックス線検診、歯科検診、内科検診、外科検診など、乳幼児を安定姿勢にして検査をする必要がある場合の受け具として、更には家庭や保育園、幼稚園などの昼寝用などの簡易ベッドとしても好適に利用できる。
【図１】
2016117074.tif 000003
【図２】
2016117074.tif 000004
【図３】
2016117074.tif 000005
【図４】
2016117074.tif 000006
【図５】
2016117074.tif 000007
【図６】
2016117074.tif 000008
【図７】
2016117074.tif 000009
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
左右両端から中央に向かうに従って順次上方へ盛り上がり、中央部分が最高位となるように彎曲させた本体部と、該本体部の左右両端から立ち上がるウイング部とを備え、可撓性のある合成樹脂素材で一体成型されてなり、前記本体部の中央部分に対する上方からの重力の負荷によって生じる下方への撓み力が、左右の前記ウイング部を上端側ほど互いが近付づく方向へ移行させるように働くようにしてある乳幼児検査受枠。
【請求項２】
請求項１記載の乳幼児検査受枠は、一対が所定間隔を隔てて並置され、左のウイング部どうし及び右のウイング部どうしが連結具で係脱自在に連結されている乳幼児検査受枠。
【請求項３】
請求項１〜２のいずれか１項に記載の乳幼児検査受枠の左右のウイング部間に支持マットが挿入、載置されてなり、その支持マットは少なくとも中央の背部受け部とその左右に連なる左右受け部とが布地によって袋状体に形成され、各袋状体の内部には詰物が挿入、充填されて当該袋状体を膨らませ、左右受け部は上方へ立ち上がってなる乳幼児受け具。
【手続補正２】
【補正対象書類名】明細書
【補正対象項目名】全文
【補正方法】変更
【補正の内容】
【発明の詳細な説明】
【技術分野】
【０００１】
この発明は、乳幼児が例えばレントゲン検診や超音波による検診を受ける際などにベッドや検査台、椅子などに載置して用いる乳幼児検査受枠及び乳幼児受け具に関する。
【背景技術】
【０００２】
乳幼児がレントゲン検診や超音波検査などを受ける際は、一般にベッドに乳幼児を寝かせて検診に当たっている（特開２０００−７０２４７号公報、特開平１０−２４８８４６号公報参照）。
【発明の開示】
【発明が解決しようとする課題】
【０００３】
しかし、大人と違って、乳幼児はベッドの上で静止することはなく、常に手足を動かしているために、看護師等が乳幼児を押さえて動きを止め、その瞬間に検査をするといった対応がとられているが、心理的な影響もあってか、なかなか動きを止めることがなく、また、介助する看護師などが検査の支障になったりするおそれがあり、正確な検査が得られないケースがよく見受けられていた。
【０００４】
この発明は、斯かる従来からの検診の問題点に鑑み発案されたもので、その第一の目的は、乳幼児の動きを可及的に少なくして、しかも検査に適した姿勢を安定して確保し易く、正確な検査の便に供すことができ、併せて使い勝手が良く、持ち運びが容易で嵩低く収納保管できる乳幼児検査受枠及び乳幼児受け具を提供することである。また第二の目的は、第１の目的を達成すると共に、更に乳幼児の背丈や体格に応じて適正な支持が可能で、検査の実効に資すると共に、持ち運びや収納、保管を一層改善できる乳幼児検査受枠及び乳幼児受け具を提供することである。
【課題を解決するための手段】
【０００５】
上記の目的を達成するため、本発明による乳幼児検査受枠は、左右両端から中央に向かうに従って順次上方へ盛り上がり、中央部分が最高位となるように彎曲させた本体部と、該本体部の左右両端から立ち上がるウイング部とを備え、可撓性のある合成樹脂素材で一体成型されてなり、前記本体部の中央部分に対する上方からの重力の負荷によって生じる下方への撓み力が、左右の前記ウイング部を上端側ほど互いが近付づく方向へ移行させるように働くようにしてある（請求項１）。
【０００６】
乳幼児検査受枠において、請求項１記載の乳幼児検査受枠は、一対が所定間隔を隔てて並置され、左のウイング部どうし及び右のウイング部どうしが連結具で係脱自在に連結されていてもよい（請求項２）。
【０００７】
また、上記目的を達成するために、本発明による乳幼児受け具は、請求項１〜２のいずれか１項に記載の乳幼児検査受枠の左右のウイング部間に支持マットが挿入、載置されてなり、その支持マットは少なくとも中央の背部受け部とその左右に連なる左右受け部とが布地によって袋状体に形成され、各袋状体の内部には詰物が挿入、充填されて当該袋状体を膨らませ、左右受け部は上方へ立ち上がってなる（請求項３）。
【発明の効果】
【０００８】
請求項１〜３に係る発明では、乳幼児の動きを可及的に少なくして、しかも検査に適した姿勢を安定して確保し易く、正確な検査の便に供すことができ、更には他分野への適用も可能な乳幼児検査受枠及び乳幼児受け具が得られる。
【０００９】
即ち、請求項１〜３に係る発明の乳幼児検査受枠及び乳幼児受け具では、乳幼児検査受枠の左右のウイング部の間に支持マットを載置し、この支持マットの上に乳幼児を側臥位あるいは仰臥位等にして寝かせ付けることによって、乳幼児は支持マットのソフトな抱擁作用によって両手、胸部左右から脇腹、そして大腿部にわたってしっかりと包み込まれる。このとき、乳幼児検査受枠の本体部の彎曲部が乳幼児の体重負荷によって下方へ撓み、その撓み力が左右のウイング部の上端側ほど互いが近付づく方向へ移行させるように働き、このウイング部の近づきによって、支持マットは左右からしっかりと把持され、もって乳幼児をしっかりと、しかも安定良く寝姿に維持できる。しかも、乳幼児検査受枠は可撓性の素材から成る断面が欧文字のほぼＵの字形となるから、その複数個を順次上から入れ込み嵌合して積み重ねることができ、使い勝手が良く、持ち運びが容易で嵩低く収納保管できる利点がある。
【００１０】
また、請求項２に係る発明では、連結具を布製や可撓性の素材、或いは剛性があっても寸法を異ならせることが可能な構造（例えば蛇腹構造や長短異なる寸法のもの）を備えて作製することで一対の受枠の間隔を、乳幼児の身長方向に沿って自在に調整し易く、乳幼児の背丈や体格に応じて適正な支持が可能で、検査の実効を上げることができる。併せて、連結具による連結を解けば、同じ形状の一対の受枠と連結具に分離されるので、嵩が低くなり、持ち運びは言うまでもなく、収納、保管の一層の便に供することができる。しかも、受枠は細幅であるので、彎曲部の撓み性が高くなり、左右のウイング部による支持マットの把持が一層的確、且つ強力になり、検査の実効性をより向上できる。
【００１１】
更に、請求項３に係る発明では、請求項１〜２のいずれか１項に記載の乳幼児検査受枠の左右のウイング部間に支持マットが挿入、載置されてなり、その支持マットは少なくとも中央の背部受け部とその左右に一体又は一体的に連なる左右受け部とが布地によって袋状体に形成され、各袋状体の内部には詰物が挿入、充填されて当該袋状体を膨らませ、左右受け部は上方へ立ち上がってなるから、背部受け部、左右受け部が別体のものよりも取り扱いが容易で、しかも左右の受け部が上方へ立ち上がっているので、乳幼児を寝かせ付け易く、検査の実効性に資する。
【００１２】
尚、本発明における乳幼児受け具には、レントゲン検診や超音波検診の際の検査用補助具の他にも、内科や歯科更には外科の分野での乳幼児の安定的な検査姿勢を得るための受け具の他、例えば家庭や保育園、幼稚園などの昼寝用などの簡易ベッドも含まれる。
【図面の簡単な説明】
【００１３】
【図１】この発明の一実施の形態に係る乳幼児受け具の外観図である。
【図２】図１に示した乳幼児受け具に用いる乳幼児検査受枠の外観図である。
【図３】図１に示した乳幼児受け具に用いる支持マットの外観図である。
【図４】図１に示した乳幼児受け具の使用状態を示す外観図である。
【図５】この発明の乳幼児受け具の変形例に用いる乳幼児検査受枠の外観図である。
【図６】乳幼児検査受枠構成枠を連結具で一体的に連結した状態を示し、一部を拡大表示した拡大図を含む一部切欠き外観図である。
【図７】図５に示した乳幼児検査受枠の作用を示す外観図である。
【符号の説明】
【００１４】
１…乳幼児受け具
２、２０…乳幼児検査受枠
３…支持マット
４、４０…本体部
５、５０…ウイング部
６、６０…彎曲部
７…背部受け部
８…左右受け部
９…頭載置部
１１…連結具
２１…乳幼児検査受枠構成枠
【発明を実施するための形態】
【００１５】
以下、本発明の乳幼児受け具を先天性股関節脱臼の超音波検査用として適用した場合の形態について、添付図面を参照して説明する。
【００１６】
この乳幼児受け具１は、二つの部品から構成される。
一つは乳幼児検査受枠２、その二はこの乳幼児検査受枠２に挿入、載置される支持マット３である。
【００１７】
乳幼児検査受枠２は、図２に示すように、本体部４とこの本体部４の左右に一体に連なるウイング部５を備えて成る。
本体部４は、左右両端から中央に向かうに従って順次上方へ盛り上がり、中央部分が最高位となるように彎曲部６を備えている。そして、ウイング部５はこの本体部４の左右の両端から夫々上方に所定寸法一体に立ち上げられてなる。
斯かる構成を備えた乳幼児検査受枠２は、アクリル変性高衝撃塩化ビニル素材を成形倍率６倍ほどで、真空成形或いは加圧成形などの手段で所定の形状に加工されている。このアクリル変性高衝撃塩化ビニルは耐衝撃性に優れる上に、耐薬品性、耐候性、耐寒性、難燃性を備え、併せて高い成形性を備えたものである。中央部分の彎曲部６は上方からの重力の負荷によって下方へ撓むが、この撓み力が左右のウイング部５を上端側ほど互いが近付づく方向へ移行させるように働く。
尚、耐熱性はやや高いが、同様の性能を備えたＡＢＳ樹脂に代替させることもできる。より安価に提供できるからである。
【００１８】
図２に示される例では、この乳幼児検査受枠２は、本体部４の左右床面との接触点間の幅Ｗは約３５０ｍｍ、奥行き幅Ｄは約５００ｍｍ、また、ウイング部５の上下寸法Ｈは床面から約２００ｍｍ、ウイング部５の上縁間の幅Ｗ１は約５００ｍｍに形成されている。寸法は、乳幼児の標準体格を基に設定されている。
【００１９】
次に、支持マット３は、図３に示すように、中央の背部受け部７とその左右に一体に連な左右受け部８とが布地によって袋状に形成され、背部受け部７と左右受け部８の内部には発泡ビーズ（図外）の詰物が挿入、充填され、当該袋状体を膨らませて、左右受け部８は、左右方向に所定の間隔Ｗ２を開けて（図３参照）上方へ立ち上がっている。また、背部受け部７の左右方向に直交する側の一方の辺縁からは頭載置部９が一体に設けられている。
【００２０】
また、前記背部受け部７と左右受け部８そして頭載置部９の表面側で乳幼児に接する面を形成する布地は伸縮性に富み且つ滑らかで耐久性のある素材としてポリウレタン弾性繊維（スパンデックス）が採用されている。表面側以外の側面や底面には綿糸を用いた平編みで編成した、前記表面側よりも少し硬くしかも伸縮性が小さい生地が用いられている。  尚、表面側の生地としては伸縮性のあるパイル編み生地が用いられても良い。
【００２１】
このように構成された乳幼児検査受枠２と支持マット３によって、図１に示す通りの乳乳幼児受け具１を得る。
つまり、ベッド（図外）の上に乳幼児検査受枠２を載置し、その左右のウイング部５の間に支持マット３を、その左右受け部８の外側面がウイング部５の内側面に接するようにして載置して乳幼児受け具１を得る。
【００２２】
この乳幼児受け具１の支持マット３の背部受け部７と左右受け部８を押さえ付けると、押さえられた背部受け部７と左右受け部８内の発泡ビーズがそれらの袋状体内で流動して、背部受け部７と左右受け部８が凹状となる。そこで、乳幼児を仰向けにして載せると、乳幼児の体重を受けて発泡ビーズが適度に流動し、背部受け部７と左右受け部８の発泡ビーズの働きによるソフトな抱擁作用によって両手、胸部左右から脇腹、そして大腿部にわたってしっかりと包み込まれ、乳幼児は超音波検診を受けやすい姿勢になる。
【００２３】
このとき、乳幼児検査受枠２の本体部４の彎曲部６が乳幼児の体重負荷によって下方へ撓み、その撓み力が左右のウイング部５をその上端側ほど互いが近付づく方向へ移行させるように働き、このウイング部５の近づきによって、支持マット３は左右からしっかりと把持され、もって乳幼児はしっかりと、しかも安定の良い寝姿に維持されることになる（図４参照）。
【００２４】
次に、図５〜７に示す形態は、乳幼児検査受枠の変形例を示したもので、殊に乳幼児の背丈や体格に応じて適正な支持が可能で、検査の実効に資すると共に、持ち運びや収納、保管を一層改善できる乳幼児検査受枠及び乳幼児受け具を提供する目的に資するものである。
【００２５】
この変形例にいう乳幼児検査受枠２０は、図５に示すように、一対の乳幼児検査受枠構成枠２１、２１で構成されている。
この乳幼児検査受枠構成枠２１は本体部４０とこの本体部４０の左右に一体に連なるウイング部５０を備えて成る。本体部４０は、左右両端から中央に向かうに従って順次上方へ盛り上がり、中央部分が最高位となるように彎曲部６０を備えている。そして、ウイング部５０はこの本体部４０の左右の両端からは夫々上方に所定寸法一体に立ち上げられてなる。この乳幼児検査受枠構成枠２１は、先の実施の態様と同様にアクリル変性高衝撃塩化ビニル素材を成形倍率６倍ほどで、真空成形或いは加圧成形などの手段で所定の形状に加工されている。
【００２６】
本体部４０の左右床面との接触点間の幅は約３５０ｍｍ、また、ウイング部５０の上下寸法は床面から約２００ｍｍ、ウイング部５０の上縁間の幅は約５００ｍｍで、図２に示す例と同様であるが、異なる点は奥行き幅Ｄ１が約１５０ｍｍに形成されている点である。
【００２７】
そして、この一対の乳幼児検査受枠構成枠２１、２１は、図５に示すように、最大幅２００ｍｍの間隔Ｓを開けて並置され、図６に示すように、相隣なるウイング部５０、５０を嵌入する嵌合袋部１０、１０を備えた可撓性の連結具１１で一体的に連結され、実質的に図２と同様の最大奥行き幅５００ｍｍを備えるように構成されている。
【００２８】
連結具１１は、上下幅がウイング部５０の上下寸法とほぼ同じ２００ｍｍで、奥行き幅はほぼ５００ｍｍを備え、適宜な素材から成る（図例では布を縫製して得た）ものである。前記嵌合袋部１０、１０は、この連結具１１の奥行き幅方向の両端に夫々下方のみが開放され、且つ、前記ウイング部５０、５０の奥行き幅１５０ｍｍを嵌入するに足る幅をもって形成されている。図６の拡大断面図中１２は縫着糸を示す。
【００２９】
以上の実施の態様によれば、連結具１１が布製であるために、一対の乳幼児検査受枠構成枠２１、２１を、図７に示すように、その奥行き幅方向で互いに近寄らせたり離したりすることができる（図７に示す例では互いに近付けた場合を示す）。その結果、乳幼児の体格に合わせて、この乳幼児検査受枠２０の大きさ（乳幼児の背丈の方向の長さ）を大小自在に変更できる。また、乳幼児検査受枠２０を除いては、支持マット３の構成は先の実施の形態、即ち図１、３に示されたものと同様である。
【００３０】
超音波検査をするにあたっては、先ずベッドの上で二つの乳幼児検査受枠構成枠２１、２１を平行に並べ、連結具１１の嵌合袋部１０をウイング部５０の上端から差し込み、二つの乳幼児検査受枠構成枠２１、２１を一体的に連結する。次いで、連結されて得られた乳幼児検査受枠２０の左右のウイング部５０と連結具１１の間に、図１と同様に、支持マット３を、その左右受け部８の外側面が連結具１１の内側面に接するようにして載置して乳幼児受け具１を得る。この乳幼児受け具１の支持マット３の背部受け部７と左右受け部８を押さえ付けると、押さえられた背部受け部７と左右受け部８内の発泡ビーズがそれらの袋状体内で流動して、背部受け部７と左右受け部８が凹状となる。そこで、乳幼児を載せると、乳幼児の体重を受けて発泡ビーズが適度に流動し、背部受け部７と左右受け部８の発泡ビーズの働きによるソフトな抱擁作用によって両手、胸部左右から脇腹、そして大腿部にわたってしっかりと包み込まれ、乳幼児は検診を受けやすい姿勢になる。
【００３１】
このとき、乳幼児検査受枠構成枠２１、２１の本体部４０、４０の彎曲部６０、６０が夫々乳幼児の体重負荷によって下方へ撓み、その撓み力が左右のウイング部５０、５０をその上端側ほど互いが近づく方向へ移行させるように働き、このウイング部５０、５０の近づきによって、支持マット３は左右からしっかりと把持され、もって乳幼児はしっかりと、しかも安定の良い寝姿に維持されることになる。
【００３２】
また、この例によれば、乳幼児検査受枠構成枠２１は細幅な一対で構成されるものであるから、本体部４０の彎曲部６０がより撓み易く、一層しっかりと支持マット３を両サイドから把持し、乳幼児はしっかりと、しかも安定の良い寝姿に維持されることになる。更に、不使用時の際は、これを上下に重ねて積み上げると一層嵩低く、また、コンパクトにして持ち運びや運搬が容易となり、また、保管はペースも少なくて済み、大変取り扱い易く提供できる。
【００３３】
尚、上記変形例で採用される連結具１１は布製のもの以外に、図示しないが、可撓性の合成樹脂を素材にして、例えば二色成形法（異材質射出成形法）によって乳幼児検査受枠構成枠２１、２１と一体成型して得たもの、更には並置したウイング部５０、５０の外側面と連結具１１の片側の面に布製ファスナーを取り付けて、両者を結合分離可能に構成したもの或いは剛性があってもウイング部間を蛇腹構造にしたもの、更には長短異なる寸法のもの等も採用できる。
【００３４】
更に、支持マット３は、発泡ビーズを充填して得たが合成樹脂製のチップに替えることもできる。更に、低反発ウレタンフォームで背部受け部７、左右受け部８、頭載置部９を形成し、これを布製のカバーで覆って得ることもできる。また、背部受部７、左右受け部８、頭載置部９は夫々独立別個に形成され、背部受け部７の左右両側若しくは左右両側上面に左右受け部８が、また背部受け部７の左右方向に直交する側の一方の辺縁若しくは辺縁上面に頭載置部９が夫々簡易着脱手段（布製ファスナー等）で接合分離自在に連結された構造も採用できる。
【産業上の利用可能性】
【００３５】
本発明は乳幼児の先天性股関節脱臼の超音波検査の際に用いられるものとして説明したが、必ずしもこの態様に限定されず、例えばエックス線検診、歯科検診、内科検診、外科検診など、乳幼児を安定姿勢にして検査をする必要がある場合の受け具として、更には家庭や保育園、幼稚園などの昼寝用などの簡易ベッドとしても好適に利用できる。
【国際調査報告】
2016117074.tif 000010
2016117074.tif 000011
2016117074.tif 000012
2016117074.tif 000013